(57)【要約】【課題】被測定者を撮影した画像から被測定者の身体の各部のサイズの取得が、容易な操作で実現するシステムを構成する。【解決手段】撮影装置Ａで背景が撮影された後に、被測定者の正面と側面とが撮影されると、撮影装置Ａにおいて身体画像抽出手段１５が撮影画像情報から身体画像情報を抽出し、画像補正手段１６が身体画像情報の歪補正を行う。この後、情報処理装置Ｂにおいてサイズ補正手段３４が身体画像情報のサイズの補正を行い、このサイズ補正後の身体画像情報に対応する体形をデータベース２５から取得し、身体の各部のサイズともにモニタ２４に表示する処理系を備えた。【選択図】図３
2010051558.tif 000002
【特許請求の範囲】
【請求項１】
被測定者の身体を撮影して取得した撮影画像情報のうち、被測定者の身体の輪郭で取り囲まれた領域を身体画像情報として抽出する身体画像抽出手段を備えると共に、
被測定者の撮影時における撮影角度情報を撮影角度取得手段で取得し、この撮影角度情報に基づいて前記身体画像抽出手段で抽出された身体画像情報の歪みの補正を行う画像補正手段を備えている撮影装置。
【請求項２】
前記身体画像抽出手段が、前記被測定者が存在しない背景を撮影した背景画像情報を保存する背景保存処理を行い、この背景保存処理で保存された前記背景画像情報と前記撮影画像情報との濃度差から前記被測定者の身体の輪郭を特定する輪郭特定処理を行い、この輪郭特定処理で特定された輪郭に基づいて前記撮影画像情報から前記身体画像情報を抽出する身体画像抽出処理を行う請求項１記載の撮影装置。
【請求項３】
撮影時における被測定者までの距離を計測して距離情報を取得する距離計測手段を備えている請求項１又は２記載の撮影装置。
【請求項４】
前記撮影角度取得手段が、重力方向に対する撮影方向を撮影角度情報として出力する角度センサを備えている請求項１〜３のいずれか一項に記載の撮影装置。
【請求項５】
前記撮影角度取得手段が、複数の距離センサ部を備えると共に、この複数の距離センサ部で計測される平面上物体である前記背景までの距離の差から撮影角度情報を取得する請求項１〜３のいずれか一項に記載の撮影装置。
【請求項６】
請求項１記載の撮影装置から歪みが補正された身体画像情報を取得し、この身体画像情報から身体の各部のサイズ情報を取得する体形処理手段を備えている身体サイズ測定システム。
【請求項７】
請求項３記載の撮影装置から距離情報を取得し、前記身体画像情報のサイズの補正を行うサイズ補正手段を備えている請求項６記載の身体サイズ測定システム。
【請求項８】
前記身体画像情報をモニタに表示し、前記体形処理手段で特定された身体各部のサイズ情報をモニタに表示された身体画像情報のうち対応する身体の各部に表示する表示処理部を備えている請求項６又は７記載の身体サイズ測定システム。
【発明の詳細な説明】
【技術分野】
【０００１】
本発明は、撮影装置及び身体サイズ測定システムに関し、詳しくは、人物の身体を撮影した画像情報に基づいて身体の各部のサイズの計測を実現する技術に関する。
【背景技術】
【０００２】
上記した技術として、特許文献１と特許文献２とに示されるものが存在する。特許文献１では、市販のデジタルカメラ２と、このデジタルカメラ２で撮影された画像情報の処理を行うコンピュータ３と、画像を表示するディスプレイ４と、情報をプリントするプリンタ５とを備えた被服用体格寸法測定システム１が示されている。
【０００３】
この被服用体格寸法測定システム１では、測定を行う場合には、被服に対応する身体部位であるバスト、ウエスト及びヒップ位置に、ベルト状の測定補助部材７ａ、７ｂ、７ｃを巻回装着する。この測定補助部材には再帰性反射シート１５、１６が貼着され、デジタルカメラ２で撮影された画像から測定補助部材の位置をコンピュータ３の装着部位検出手段２３が認識し、採寸部位指定手段２７で指定された部位の体格寸法を、直線体格寸法算出手段２８が採寸するように処理形態が設定されている。
【０００４】
特許文献２は、特許文献１と同様に、市販のデジタルカメラ２と、このデジタルカメラ２で撮影された画像情報の処理を行うコンピュータ３と、画像を表示するディスプレイ４と、情報をプリントするプリンタ５とを備えた被服用体格寸法測定システム１が示されている。
【０００５】
この被服用体格寸法測定システム１では、例えば、寸法が既知の十字架状のキャリブレーション装置２３を撮影し、画面上の距離寸法と身体の寸法と対応させるためのキャリブレーションを行い、この後、被測定者の正面と側面との撮影を行う。このように撮影された画像上の寸法及び実際の寸法と、被測定者の身体の画像上の寸法とに基づいて、被測定者の身体の各部の寸法を求める処理が行われる。
【０００６】
【特許文献１】特開２００４−３６０１３１号公報（段落番号〔００６５〜００９１〕、図１〜図１０）
【特許文献２】特開２００３−４９３０７号公報（段落番号〔００５５〜００７３〕、図１〜図３）
【発明の開示】
【発明が解決しようとする課題】
【０００７】
被測定者の身体の寸法を計測する際に、特許文献１のようにベルト状の測定補助部材の装着を必要とするものでは、この装着を行う際の装着位置を適正に決めたり、締付具合に無理がないように装着する必要があり手間が掛かるものであった。
【０００８】
また、特許文献２のように被測定者を撮影する以前にキャリブレーション装置を撮影するものでは、カメラの位置と被測定者との位置関係を適正に設定する必要があるため、操作に不慣れなオペレータが撮影した場合には、カメラが傾斜した状態で撮影を行い、撮影された画像が歪む不都合を招くことがあり、正確な身体寸法の撮影を行えないことも考えられた。
【０００９】
本発明の目的は、被測定者を撮影した画像から被測定者の身体の各部のサイズの取得が容易な操作で実現する装置を合理的に構成する点にある。
【課題を解決するための手段】
【００１０】
本発明の特徴は、被測定者の身体を撮影して取得した撮影画像情報のうち、被測定者の身体の輪郭で取り囲まれた領域を身体画像情報として抽出する身体画像抽出手段を備えると共に、被測定者の撮影時における撮影角度情報を撮影角度取得手段で取得し、この撮影角度情報に基づいて前記身体画像抽出手段で抽出された身体画像情報の歪みの補正を行う画像補正手段を備えている点にある。
【００１１】
この構成により、被撮影者の身体を撮影して取得した撮影画像情報から身体画像情報が抽出され、被撮影者を撮影時における撮影角度情報に基づいて画像補正手段が身体画像情報の歪みの補正を行う。つまり、被撮影者の撮影時の角度が適正にセットされていない場合には、撮影角度情報に基づいて画像補正手段が身体画像情報の補正を行うことにより、歪みを除去することが可能となる。従って、ベルト等の補助的なツールを用いずに、被測定者を撮影した画像情報を処理するだけで被測定者の身体の各部のサイズの取得が容易な操作で実現する撮影装置が合理的に構成された。
【００１２】
本発明は、前記身体画像抽出手段が、前記被測定者が存在しない背景を撮影した背景画像情報を保存する背景保存処理を行い、この背景保存処理で保存された前記背景画像情報と前記撮影画像情報との濃度差から前記被測定者の身体の輪郭を特定する輪郭特定処理を行い、この輪郭特定処理で特定された輪郭に基づいて前記撮影画像情報から前記身体画像情報を抽出する身体画像抽出処理を行っても良い。これによると、背景と撮影画像情報との濃度差から身体の輪郭を特定するので、例えば、撮影画像情報のみから身体の輪郭を抽出する処理と比較して輪郭を抽出する処理の精度を高めることが可能となる。
【００１３】
本発明は、撮影時における被測定者までの距離を計測して距離情報を取得する距離計測手段を備えても良い。これによると、例えば、撮影時において被測定者までの距離を必要に応じて変更した場合でも、身体画像情報の本来のサイズを適正に把握できる。
【００１４】
本発明は、前記撮影角度取得手段が、重力方向に対する撮影方向を撮影角度情報として出力する角度センサを備えても良い。これによると、重錘等用いた簡単な角度センサで撮影角度情報を取得することも可能となる。
【００１５】
本発明は、前記撮影角度取得手段が、複数の距離センサ部を備えると共に、この複数の距離センサ部で計測される平面上物体である前記背景までの距離の差から撮影角度情報を取得しても良い。これによると、精度高く撮影角度情報を取得することが可能となる。
【００１６】
本発明は、請求項１記載の撮影装置から歪みが補正された身体画像情報を取得し、この身体画像情報から身体の各部のサイズ情報を取得する体形処理手段を備えても良い。
【００１７】
この構成によると、請求項１に記載された撮影装置において歪みが補正された身体画像情報を取得し、この画像情報から体形処理手段が身体の各部のサイズ情報を取得することになり、例えば、ソフトウエアで成る体形処理手段をインストールしたパーソナルコンピュータを用いて身体サイズ計測手段を構成することも可能となる。
【００１８】
本発明は、請求項３記載の撮影装置から距離情報を取得し、前記身体画像情報のサイズの補正を行うサイズ補正手段を備えても良い。これによると、被測定者と撮影装置との距離が変更された場合でも身体サイズ測定システムにおいて精度高く身体サイズの測定を行える。
【００１９】
本発明は、前記身体画像情報をモニタに表示し、前記体形処理手段で特定された身体各部のサイズ情報をモニタに表示された身体画像情報のうち対応する身体の各部に表示する表示処理部を備えても良い。これによると、モニタに表示された身体画像情報において、表示処理部が身体の各部に対応してサイズ情報がモニタに表示されるものとなり、このサイズ情報を視覚的に把握できる。
【発明を実施するための最良の形態】
【００２０】
以下、本発明の実施形態を図面に基づいて説明する。
〔全体構成〕
図１に示すように、被測定者Ｈの撮影を行い、撮影時における撮影角度と撮影距離とを取得する撮影装置Ａを備えると共に、この撮影装置Ａで撮影された撮影画像情報から被測定者Ｈの身体の各部のサイズを取得する情報処理装置Ｂとを備えて身体サイズ測定システムが構成されている。
【００２１】
この身体サイズ測定システムは同図に示す如く、撮影のためのスクリーン状の背景１と、照明装置２とがセットされたスタジオ環境において、撮影装置Ａを三脚３にセットして撮影を行うものであるが、専用の背景１や照明装置２は必ずしも必要ではなく、例えば、室内の壁面（平面上物体）を背景１として用い、照明としてカメラ用のストロボを用いて良い。
【００２２】
背景１としては、撮影画像情報に含まれる身体画像情報の輪郭を明確にするために再帰性反射シートを用いることが好ましく、また、撮影には三脚３を必ずしも用いる必要はなく、オペレータが撮影装置Ａを手で構えて撮影しても良い。
【００２３】
特に、撮影装置Ａでの撮影時には被測定者Ｈを撮影領域の中央部に配置することが望ましく、例えば、撮影装置Ａのファインダーやライブビューモニタに対して理想的な撮影領域を示す矩形のフレームを表示し、このフレーム中に被測定者Ｈが含まれるように撮影時の構図を決めても良い。
【００２４】
同図では、撮影装置Ａからの情報を情報処理装置Ｂに伝送するための通信ケーブル４を示しているが、情報を伝送するために無線ＬＡＮやＢｌｕｅｔｏｏｔｈ（登録商標）等の通信技術を用いても良い。また、撮影装置Ａからの情報を情報処理装置Ｂに受け渡すために、撮影装置Ａで撮影に使用されたフラッシュメモリ等のメディアＭを用いても良い。この場合、メディアＭを情報処理装置Ｂのドライブに人為的にセットする操作が必要となる。
【００２５】
この測定システムは、オペレータが撮影装置Ａで背景１のみを撮影した後、その背景１の前に被測定者Ｈが立ち、撮影装置Ａで正面と側面とを撮影を行う。この撮影を行うことにより撮影装置Ａでは、撮影で取得された正面と側面との撮影画像情報から身体画像情報を抽出する。この後、身体画像情報等が情報処理装置Ｂに受け渡され、情報処理装置Ｂでは被測定者の身体の身長、バスト、ウエスト、ヒップ等の各部のサイズを求め、モニタ２４に表示する。以下に、この処理を実現する構成と処理形態とを説明する。
【００２６】
〔撮影装置〕
撮影装置Ａは、図２及び図３に示すように、ボディ１０に備えた光学レンズ１１からの光情報を、ボディ内の光電変換素子（図示せず）でデジタル信号化することで撮影画像情報を生成する撮像部１２を備えている。外面的には市販されているデジタルカメラと大きく異なる点はないが、ボディ１０には撮影時におけるチルト方向での撮影角度情報を取得する撮影角度取得手段１３と、撮影時における被測定者Ｈまでの距離を計測する距離計測手段１４とを備えている。
【００２７】
撮影装置Ａでの撮影時において、ボディ１０の鉛直方向の縦軸芯Ｙ周りでの角度をヨー角と称し、ボディ１０の横方向の横軸芯Ｘ周りでの角度をチルト角と称し、ボディ１０の前後方向の前後軸芯Ｚ周りでの角度をロール角と称する。
【００２８】
撮影角度取得手段１３は、超音波を用いることにより被測定者Ｈとの距離を計測する３つの距離センサ部１３Ｓを備えており、この複数の距離センサ部１３Ｓで計測される背景１までの距離に差がある場合には、三角測量の原理によりヨー角とチルト角とを計測し、計測値を撮影角度情報として出力する。なお、この距離センサ部１３Ｓによる計測は、背景１のみを撮影するときに行うと好適である。これにより効率的に、被測定者の撮影の前準備ができる。距離計測手段１４は超音波を用いて被測定者Ｈとの距離を計測する。尚、この撮影角度取得手段１３と距離計測手段１４とは超音波に代えて赤外線を用いることやマイクロ波のような電波を用いるものであっても良い。
【００２９】
更に、撮影角度取得手段１３としてチルト角を計測するために重力方向に対する撮影方向を計測するように重錘と、ポテンショメータ等の角度センサとを組み合わせることにより、角度センサからの信号を撮影角度情報として出力するものであっても良い。
【００３０】
撮像部１２で撮影される撮影画像情報は、Ｒ（赤）、Ｇ（緑）、Ｂ（青）の３原色の８ビットの階調のＲＡＷデータ形式のものを想定しているが、１２ビット等の９ビットを超える階調のものや、ＪＰＥＧ形式やＧＩＦ形式等の圧縮形式であっても良い。また、この撮影画像情報は８ビット等の多階調であればグレイスケールの情報であっても良い。
【００３１】
撮像部１２は、撮影された撮影画像情報に識別情報を与えると共に、撮影のタイミング信号と識別情報とを撮影角度取得手段１３と距離計測手段１４とに与える。
【００３２】
ボディ１０には、撮影画像情報から身体画像情報を抽出する身体画像抽出手段１５と、身体画像情報の歪みの補正を行う画像補正手段１６と、情報を通信ケーブル４を介して送り出す通信ユニット１７と、メディアＭに保存する情報を生成する保存情報生成手段１８と、フラッシュメモリ等のメディアＭに対して情報を保存するメディアドライブ１９とが備えられている。
【００３３】
尚、身体画像抽出手段１５と、画像補正手段１６と、保存情報生成手段１８とはソフトウエアで構成されるものであるが、これらの一部又は全てをソフトウエアとハードウエアとの組み合わせで構成して良く、ロジック等のハードウエアのみによって構成しても良い。
【００３４】
身体画像抽出手段１５は、半導体メモリ等のストレージに背景画像情報を保存する背景保存処理１５ａを行い、保存された背景画像情報と被測定者Ｈを撮影した撮影画像情報との濃度差の判別する濃度差判定処理１５ｂを行い、この濃度差に基づいて撮影画像情報のうち被測定者の輪郭を特定する輪郭特定処理１５ｃを行い、このように特定された輪郭に基づいて撮影画像情報から身体画像情報を抽出する身体画像抽出処理１５ｄを行う。これらの処理は、この順序で行われるものであり、これらの処理により撮影画像情報から身体画像情報が抽出される。
【００３５】
〔情報処理装置〕
情報処理装置Ｂは、汎用コンピュータ２１と、オペレータが情報を入力するキーボード２２と、ポインティングデバイスとして機能するマウス２３とを備えると共に、画像情報を表示するモニタ２４を備えている。また、汎用コンピュータ２１はデータベース２５とプリント装置２６に接続している。
【００３６】
この情報処理装置Ｂでは、汎用コンピュータ２１の外部にデータベース２５を備えた構成を示しているが、このデータベース２５を汎用コンピュータ２１に内蔵するものであっても良い。また、このデータベース２５がインターネット等のネットワークを介して汎用コンピュータ２１に接続するものでも良い。
【００３７】
汎用コンピュータ２１は、情報の処理を行うＣＰＵと、半導体メモリと、オペレーティングシステムとを備えた基本的な構成を有すると共に、メディアＭからの情報を取得するメディアドライブ３１を備えている。この汎用コンピュータ２１には、通信ケーブル４を介して情報を取得する通信ユニット３３と、この通信ユニット３３又はメディアドライブ３１から情報を取得する情報取得ユニット３２と、距離情報に基づいて身体画像情報のサイズを補正するサイズ補正手段３４と、サイズ補正手段３４で補正された身体画像情報から体形に関連する情報を取得する体形処理手段３５とを備えている。
【００３８】
更に、この汎用コンピュータ２１は、体形処理手段３５からの情報に基づいて立体画像を生成する３Ｄ画像生成手段３６と、モニタ２４に表示すべき情報を生成する表示処理部３７と、モニタ２４に表示された情報に対応した処理を行わせるＧＵＩ処理部３８と、データベース２５あるいはプリント装置２６との間での情報のアクセスを実現する情報管理部３９とを備えている。
【００３９】
尚、サイズ補正手段３４と、体形処理手段３５と、３Ｄ画像生成手段３６と、表示処理部３７と、ＧＵＩ処理部３８と、情報管理部３９とはソフトウエアで構成されるものであるが、これらの一部又は全てをソフトウエアとハードウエアとの組み合わせで構成して良く、ハードウエアのみによって構成しても良い。
【００４０】
体形処理手段３５は、サイズ補正手段で補正された正面と側面との身体画像情報に基づいて対応する体形をデータベース２５から取得する体形判定処理３５ａと、取得された体形において測定位置を特定する測定位置特定処理３５ｂと、測定位置における身体のサイズを取得するサイズ取得処理３５ｃとを行う。
【００４１】
〔処理形態〕
本発明の測定システムにおける計測処理の概要を図４のフローチャートに示し、撮影装置Ａにおける処理形態を図５のフローチャートに示し、情報処理装置Ｂにおける処理形態を図６のフローチャートに示している。
【００４２】
〔計測処理〕
計測処理は、撮影装置Ａで背景１の撮影を行い、撮影装置Ａでの撮影により被測定者Ｈの正面と側面との撮影画像情報を取得する（＃０１、＃０２ステップ）。次に、撮影装置Ａにおいて撮影画像情報から身体画像情報を抽出し、この身体画像情報の歪みの補正を行う身体画像情報生成ルーチンが実行される（＃１００ステップ）。
【００４３】
撮影装置Ａで被測定者Ｈを正面から撮影する場合には、被測定者Ｈの背中の一部を背景１に軽く接触させ、被測定者Ｈを側面から撮影する場合にも被測定者Ｈの肩等の体の一部を背景１に接触させることが距離のバラツキをなくし撮影画像情報に含まれる身体画像情報の大きさの変化も解消する点において有効となる。
【００４４】
次に、身体画像情報と距離情報とが情報処理装置Ｂに受け渡され（＃０３ステップ）、情報処理装置Ｂでは、距離情報に基づいて身体画像情報のサイズの補正が行われ、このように補正された身体画像情報に対応する体形が判定され、身体各部のサイズ（指定された部位を含む）が取得され、更に、取得したサイズをモニタ２４に表示するサイズ計測ルーチンが実行される（＃２００ステップ）。
【００４５】
〔身体画像情報生成ルーチン〕
この身体画像情報生成ルーチンでは、背景１が撮影された背景画像情報を撮像部１２からの取得し、背景保存処理１５ａが装置内の半導体メモリ（図示せず）に保存する。次に、被測定者Ｈを撮影した撮影画像情報を撮像部１２から取得し、身体画像抽出手段１５が装置内の半導体メモリに保存する。また、撮影時における撮影角度情報を撮影角度取得手段１３から取得すると共に、撮影時の距離情報を距離計測手段１４から取得し、これらの情報を装置内の半導体メモリに保存する（＃１０１〜＃１０３ステップ）。
【００４６】
身体画像抽出手段１５では、濃度差判定処理１５ｂにおいて背景画像情報と撮影画像情報との濃度差の判定を行い、輪郭特定処理１５ｃにおいて濃度差が大きい領域を輪郭として特定する。このように輪郭が特定された後には、身体画像抽出処理１５ｄにおいて輪郭で取り囲まれた領域を身体画像情報として撮影画像情報から抽出し、更に、この身体画像抽出処理１５ｄにおいて、この身体画像情報の人物を黒とし、背景を白とした２値化（モノクロ２階調）する（＃１０４ステップ）。
【００４７】
この身体サイズ測定システムでは、背景１を撮影した後に、被測定者Ｈを正面からと側面とから撮影する処理を必要とするため、この＃１０２〜＃１０４の処理においても、被測定者Ｈを正面から撮影した撮影画像情報と、側面から撮影した撮影画像情報とについて同様の処理が繰り返して行われる（＃１０５ステップ）。
【００４８】
次に、画像補正手段１６が、撮影角度取得手段１３から取得した撮影角度情報に基づいてアフィン変換等の処理により身体画像抽出手段１５からの身体画像情報の歪み補正を行う（＃１０６ステップ）
【００４９】
例えば、被測定者Ｈを見下ろす方向から撮影した場合には、被測定者Ｈの上部ほど拡大される特徴の歪みを生じ、被測定者Ｈを見上げる方向から撮影した場合には、被測定者Ｈの下部ほど拡大される特徴の歪みを生ずる。このような理由から、画像補正手段１６では、この歪みを補正するように撮影角度情報に基づいて身体画像情報の補正が行われるのである。
【００５０】
この後に、画像補正手段１６で補正された正面と側面との２種の身体画像情報（２値化された情報）と、距離計測手段１４からの距離情報とが通信ユニット１７から情報処理装置Ｂに伝送される。これと同時に、保存情報生成手段１８が、画像補正手段１６で補正された正面と側面との２種の身体画像情報と、距離計測手段１４からの距離情報とをメディアドライブ１９に伝送し、これらの情報がメディアＭに保存される（＃１０７ステップ）。
【００５１】
〔サイズ計測ルーチン〕
このサイズ計測ルーチンでは、メディアドライブ３１あるいは通信ユニット３３を介して情報取得ユニット３２が身体画像情報と距離情報とを取得する処理が行われると共に、被測定者Ｈを特定するための氏名等の情報がキーボード２２から取得される（＃２０１ステップ）。
【００５２】
次に、サイズ補正手段３４が、距離情報に基づいて身体画像情報のサイズを補正する（＃２０２ステップ）。このサイズの補正処理は、身体画像情報のサイズを単純に拡大することや縮小する処理を行うものだけではなく、例えば、身体画像情報の拡大率（１未満の数値が縮小率、１を超える数値が拡大率）を示す情報を算出し、この拡大率の情報を身体画像情報を構成するファイルのヘッダー等に保存する処理であっても良い。ちなみに、このように拡大率が与えられた場合には体形処理手段３５において、拡大率に基づいて身体画像情報のサイズが演算によって決定される。
【００５３】
体形処理手段３５では、正面と側面との身体画像情報に基づいてデータベース２５から対応する体形情報を取得し、図７に示すように、身体画像情報をモニタ２４に表示する。また、このように取得された体形情報に基づいて３Ｄ画像生成手段３６が身体画像情報に対応した３Ｄ画像情報を生成する（＃２０３ステップ）。
【００５４】
データベース２５には正面の身体画像情報と、側面の身体画像情報とに基づいて１つの体形の特定を実現するための多数の体形情報（具体的には身体の３次元的な形状を特定し得るパラメータ等の情報や、身体の３次元モデルの情報）が予め保存されており、体形が決まることにより必然的に１つの立体的な形状（３Ｄ形状）が決まる。尚、この体形情報にバスト、ウエスト、ヒップ等の決まった位置のサイズの情報が関連付けたものが想定され、このように関連付けたサイズの情報もデータベース２５に保存される。
【００５５】
３Ｄ画像生成手段３６はデータベース２５から取得した体形に対応した３Ｄ画像を生成する処理を行うが、この３Ｄ画像は、図９に示す体形比較タブ５０Ｃが選択されるまで表示されない。
【００５６】
＃２０３ステップの処理では、モニタ２４には図７に示す出力画面５０が表示される。この出力画面５０の正面画像表示領域５１に正面の身体画像情報が表示され、側面画像表示領域５２に側面の身体画像情報が表示される。また、これらの下部位置の情報表示領域５３には被測定者の氏名と、測定日時と、指定位置のサイズの数値で表示される。特に、バスト、ウエスト、ヒップ等の決まった位置のサイズは初期の段階で表示される。
【００５７】
尚、バスト、ウエスト、ヒップ等の決まった位置であっても体形情報のうち、設定された部位の外周長さを演算によって算出し、寸法として表示するように処理形態を設定しても良い。
【００５８】
また、モニタ２４に表示されているカーソルＣｕで身体画像情報の任意の位置を指定してクリックすることで、その指定位置のサイズを表示することも可能である、このように測定位置が任意に設定された場合には、体形情報のうち指定された部位の外周長さを演算によって算出することでサイズを取得する。また、指定がない場合には、バスト、ウエスト、ヒップ等の初期位置（デフォルト）として設定されている測定位置のサイズを取得し、モニタ２４に表示する（＃２０４〜＃２０７ステップ）。
【００５９】
このように、カーソルＣｕで指定した位置のサイズの情報をモニタ２４に表示する際には、クリックされる毎に体形に基づき演算によりサイズを求める処理形態が設定されているが、各部のサイズの情報を体形情報に関連付けてデータベース２５に保存しておき、体形情報と共に取得しても良い。この場合、演算を行わずとも身体各部のサイズを即座にモニタ２４に表示することが可能となる。
【００６０】
この情報表示領域５３には、身長の入力領域５３ａと、体重の入力領域５３ｂとが形成され、これらにカーソルＣｕをセットし、キーボード２２から情報を入力できるように構成されている。
【００６１】
尚、図７には、モニタ２４に表示される出力画面５０のデフォルトの状態を示しており、このデフォルトの状態では基本情報タブ５０Ａが選択された状態にある。
【００６２】
そして、この出力画面５０の下部に形成された保存ボタン５４をカーソルＣｕで選択してクリックすることで、出力画面５０に表示されている情報と、３Ｄ画像生成手段３６で生成された体形情報とが被測定者の氏名と関連付けられた履歴として保存される（＃２０８、＃２０９ステップ）。
【００６３】
出力画面５０の履歴表示タブ５０ＢをカーソルＣｕで選択してクリックすることにより、図８に示すように、その氏名に関連付けて保存されている履歴情報の表示が可能となる。この画面には期間入力部５５が形成され、この期間入力部５５には現在を基準にして数ヶ月程度の過去を示す日時がデフォルトとして表示され、この期間における履歴がデータベース２５から抽出され、履歴表示領域５７に履歴がグラフ化して表示される。
【００６４】
また、履歴表示タブ５０Ｂを選択した状態で、期間入力部５５をカーソルＣｕで選択した後にキーボード２２から日時を入力し、ＯＫボタン５６をカーソルＣｕで選択してクリックすることにより任意に設定された期間における履歴がデータベース２５から抽出され、履歴表示領域５７に表示される（＃２１０、＃２１１ステップ）。
【００６５】
次に、出力画面５０の体形比較タブ５０ＣをカーソルＣｕで選択してクリックすることにより、図９に示すように、その氏名に関連付けて保存されている３Ｄ画像の表示が可能となる。この画面には期間入力部５８が形成され、この期間入力部５８には現在を基準にして数ヶ月程度の過去を示す日時がデフォルトとして表示され、この期間における３Ｄ画像がデータベース２５から抽出され、比較表示部６０に表示される。
【００６６】
また、体形比較タブ５０Ｃを選択した状態で、期間入力部５８をカーソルＣｕで選択した後にキーボード２２から日時を入力し、ＯＫボタン５９をカーソルＣｕで選択してクリックすることにより任意に設定された期間における３Ｄ画面がデータベース２５から抽出され、比較表示部６０に表示される（＃２１２、＃２１３ステップ）。
【００６７】
これらの表示は、出力画面５０の終了ボタン６１がカーソルＣｕで選択されクリックされるまで継続して行われる（＃２１４ステップ）。
【００６８】
〔実施形態の効果〕
このように、撮影装置Ａで背景１を撮影して背景画像情報を取得した後に、その背景１の前に被測定者Ｈが立ち正面と側面とを撮影装置Ａで連続的に撮影することにより、撮影画像情報が取得される共に、この撮影時における撮影角度情報と距離情報とが取得される。撮影装置Ａでは、背景画像情報と撮影画像情報との濃度差から身体画像情報が抽出され、２値化される。また、撮影角度情報に基づいて身体画像情報の歪みが補正される。このように歪みが補正されることにより、例えば、オペレータが撮影装置Ａを手で持つ形態で撮影を行った場合でも歪みを適正に除去できる。
【００６９】
次に、情報処理装置Ｂの汎用コンピュータ２１において身体画像情報が距離情報に基づいてサイズが補正される。このようにサイズが補正されることにより、例えば、オペレータが撮影装置Ａを手に持つ形態で撮影を行った場合のように正面の身体画像情報と側面の身体画像情報との撮影時の距離が異なる場合でも、これらの身体画像情報を適正なサイズに変換できる。
【００７０】
この後に、補正された正面と側面との身体画像情報に対応する体形情報がデータベース２５から取得されることにより、特別な演算を行うことなく適正な体形を特定して身体各部のサイズの取得が可能となる。このように取得したサイズを数値としてモニタ２４の出力画面５０に表示することにより、身体の各部のサイズを的確に把握できるものとなる。
【００７１】
特に、出力画面５０には履歴情報としてグラフ化した過去から現在に至るまでの情報を表示することが可能であり、これと同様に過去から現在に至るまでの３Ｄ化した体形を体形比較可能に表示することにより視覚によって、体形の変遷を把握することが可能となる。
【００７２】
フローチャートには示していないが、出力画面５０の表示内容はプリント装置２６によってプリント出力が可能である。
【００７３】
〔別実施形態〕
本発明は、上記した実施の形態以外に以下のように構成しても良い。
【００７４】
（ａ）撮影画像情報から身体画像情報を抽出する際に、身体画像情報の輪郭を特定するために、ラプラシアンフィルタ等の輪郭を抽出するフィルタで撮影画像情報を処理する。この処理を行う構成を備えることにより、撮影装置Ａで背景１を撮影する手間を軽減でき身体各部のサイズの計測を短時間で行える。
【００７５】
（ｂ）撮影装置Ａが、自動的に合焦を行うオートフォーカスユニットを備えているものでは、このオートフォーカスユニットからの情報を距離情報として取得するように構成する。この構成により、専用の距離計測手段（被計測者までの距離計測手段）を備えずに済む。
【００７６】
（ｃ）データベースを用いずに、予め設定されているパラメータ等を正面の身体画像情報と側面の身体画像情報とから体形情報を生成するように体形処理手段を構成する。この構成によりデータベースが不要となる。
【００７７】
（ｄ）撮影装置Ａのボディ１０の内部にサイズ補正手段３４と体形処理手段３５とを備える。この構成により、撮影装置Ａの単体において被測定者の身体の各部のサイズを取得することが可能となる。このように構成する場合に、例えば、この撮影装置Ａに備えられたモニタに必要な処理を表示して操作を行うことも考えられる。また、この構成により、撮影装置Ａと外部のモニタとを直接接続して情報を表示することや、撮影装置Ａとプリント装置とを直接接続して情報のプリントを行うことも可能となる。
【００７８】
（ｅ）撮影装置Ａと背景１との距離を固定し、撮影時に被測定者Ｈが立つ位置を固定することにより、サイズ補正手段３４を備えずに身体サイズ測定システムを構成する。この構成により処理が単純化して迅速な処理を実現する。
【００７９】
（ｆ）撮影装置Ａのロール角を適正に維持するためにボディ１０に水準器を備える。この構成により、撮影画像情報に含まれる身体画像情報の姿勢が適正に維持され身体画像情報の一部が撮影されない不都合を解消する。
【図面の簡単な説明】
【００８０】
【図１】身体サイズ測定システムを示す斜視図
【図２】撮影装置の斜視図
【図３】身体サイズ測定システムのブロック回路図
【図４】計測処理のフローチャート
【図５】身体画像情報生成ルーチンのフローチャート
【図６】サイズ計測ルーチンのフローチャート
【図７】基本情報タブが選択された出力画面を示す図
【図８】履歴表示タブが選択された出力画面を示す図
【図９】体形比較タブが選択された出力画面を示す図
【符号の説明】
【００８１】
１３          撮影角度取得手段
１３Ｓ        距離センサ部
１５          身体画像抽出手段
１４          距離計測手段
１５ａ        背景保存処理
１５ｃ        輪郭特定処理
１５ｄ        身体画像抽出処理
１６          画像補正手段
２４          モニタ
３４          サイズ補正手段
３５          体形処理手段
３７          表示処理部
Ａ            撮影装置
Ｈ            被測定者
【図１】
2010051558.tif 000003
【図２】
2010051558.tif 000004
【図３】
2010051558.tif 000005
【図４】
2010051558.tif 000006
【図５】
2010051558.tif 000007
【図６】
2010051558.tif 000008
【図７】
2010051558.tif 000009
【図８】
2010051558.tif 000010
【図９】
2010051558.tif 000011